(57)【要約】【課題】車両のタイヤを全周にわたって消毒できる車両消毒装置を提供する。【解決手段】車両消毒装置１は、車両に向けて消毒液を噴射する側方噴射手段６を備える。車両消毒装置１は、車両に向けて消毒液を噴射する下方噴射手段11を備える。そして、この下方噴射手段11は、第１距離ａを介して離間対向し車両の走行方向に長手方向を有する左右１対の第１配管16を有する。各第１配管16には、タイヤに向けて消毒液を噴射する複数の第１ノズル17を設ける。【選択図】図１
2015211867.tif 000002
【特許請求の範囲】
【請求項１】
少なくとも前後左右の４つのタイヤを有する車両を消毒液を用いて消毒する車両消毒装置であって、
車両が走行して移動する車両移動領域の左右両側方に配設され、車両に向けて消毒液を噴射する側方噴射手段と、
前記車両移動領域の下方に配設され、車両に向けて消毒液を噴射する下方噴射手段とを備え、
前記下方噴射手段は、
平面視で互いに離間対向し、車両の走行方向に長手方向を有する左右対をなす配管と、
この各配管に設けられ、車両のタイヤに向けて消毒液を噴射する複数のノズルとを有する
ことを特徴とする車両消毒装置。
【請求項２】
車両移動領域の下方に配設され、車両の下面に向けて消毒液を噴射する噴射手段を備え、
前記噴射手段は、
車両の走行方向に対して直交する水平な方向に長手方向を有する左右方向長手状で、側方噴射手段の縦配管と下方噴射手段の配管とを連結する連結配管と、
この連結配管に設けられ、車両の下面に向けて消毒液を噴射する複数のノズルとを有する
ことを特徴とする請求項１記載の車両消毒装置。
【発明の詳細な説明】
【技術分野】
【０００１】
本発明は、消毒液を用いて車両を消毒する車両消毒装置に関するものである。
【背景技術】
【０００２】
従来、例えば特許文献１に記載された車両消毒装置が知られている。
【０００３】
この従来の車両消毒装置は、門型状のゲート本体と、このゲート本体の内側を通過する車両に向けて消毒液を噴射する消毒液噴射手段とを備えている。ゲート本体は、車高の高い大型車両が通過できるぐらいに十分な幅および高さを有している。また、消毒液噴射手段は、スイッチの押し操作により消毒液の噴射を開始し、この噴射開始時からタイマー設定時間経過後に自動的に噴射を停止する。
【０００４】
さらに、消毒液噴射手段は、車両が走行して移動する車両移動領域の下方に配設された１〜３列、すなわち例えば２列の配管を有し、この各配管には消毒液を噴射する複数のノズルが設けられている。そして、この各配管は、車両の走行方向に対して直交する方向に長手方向を有し、敷設部の開口部内に配設されている。
【先行技術文献】
【特許文献】
【０００５】
【特許文献１】特開２００７−８９９５１号公報（図１）
【発明の概要】
【発明が解決しようとする課題】
【０００６】
しかしながら、上記従来の車両消毒装置では、一番重要なタイヤ全周には当たらず、消毒液噴射手段のノズルからの消毒液がタイヤの一部のみに当たり、車両のタイヤを全周にわたって消毒できないおそれがある。
【０００７】
本発明は、このような点に鑑みなされたもので、車両のタイヤを全周にわたって消毒できる車両消毒装置を提供することを目的とする。
【課題を解決するための手段】
【０００８】
請求項１記載の車両消毒装置は、少なくとも前後左右の４つのタイヤを有する車両を消毒液を用いて消毒する車両消毒装置であって、車両が走行して移動する車両移動領域の左右両側方に配設され、車両に向けて消毒液を噴射する側方噴射手段と、前記車両移動領域の下方に配設され、車両に向けて消毒液を噴射する下方噴射手段とを備え、前記下方噴射手段は、平面視で互いに離間対向し、車両の走行方向に長手方向を有する左右対をなす配管と、この各配管に設けられ、車両のタイヤに向けて消毒液を噴射する複数のノズルとを有するものである。
【０００９】
請求項２記載の車両消毒装置は、請求項１記載の車両消毒装置において、車両移動領域の下方に配設され、車両の下面に向けて消毒液を噴射する噴射手段を備え、前記噴射手段は、車両の走行方向に対して直交する水平な方向に長手方向を有する左右方向長手状で、側方噴射手段の縦配管と下方噴射手段の配管とを連結する連結配管と、この連結配管に設けられ、車両の下面に向けて消毒液を噴射する複数のノズルとを有するものである。
【発明の効果】
【００１０】
本発明によれば、車両のタイヤを全周にわたって消毒できる。
【図面の簡単な説明】
【００１１】
【図１】本発明の第１の実施の形態に係る車両消毒装置の概略平面図である。
【図２】同上車両消毒装置の正面視断面図である。
【図３】本発明の第２の実施の形態に係る車両消毒装置の概略平面図である。
【図４】同上車両消毒装置の正面視断面図である。
【図５】本発明の第３の実施の形態に係る車両消毒装置の概略平面図である。
【図６】同上車両消毒装置の正面視断面図である。
【図７】本発明の第４の実施の形態に係る車両消毒装置の概略平面図である。
【図８】同上車両消毒装置の正面視断面図である。
【図９】本発明の第５の実施の形態に係る車両消毒装置の概略平面図である。
【図１０】本発明の第６の実施の形態に係る車両消毒装置の概略平面図である。
【図１１】本発明の第７の実施の形態に係る車両消毒装置の概略平面図である。
【図１２】本発明の第８の実施の形態に係る車両消毒装置の概略平面図である。
【図１３】本発明の第９の実施の形態に係る車両消毒装置の概略平面図である。
【図１４】本発明の第１０の実施の形態に係る車両消毒装置の概略平面図である。
【発明を実施するための形態】
【００１２】
本発明の第１の実施の形態について図１および図２を参照して説明する。
【００１３】
図１および図２において、１は車両消毒装置で、この車両消毒装置１は、少なくとも前後左右の４つのタイヤ２を有する車両３を消毒液を用いて消毒するものである。
【００１４】
すなわち例えば車両消毒装置１は、牧場等の施設である畜産施設（或いは食品工場や化学工場等）の入出場口に設置され、車両３が走行方向に向かって走行して畜産施設に入る際に、その畜産施設内の家畜が伝染病に感染するのを防止するために、消毒液を用いて車両３を消毒する消毒システムである。
【００１５】
車両消毒装置１は、車両３が真っ直ぐな走行方向に走行して移動する車両移動領域５の左右両側方に配設され、車両３に向けて消毒液を噴射する側方噴射手段６を備えている。
【００１６】
側方噴射手段６は、互いに離間対向する上下方向長手状の左右１対の縦配管７を有している。各縦配管７には、車両３の側面に向けて消毒液を噴射する水平向きの複数のノズル８が設けられている。
【００１７】
なお、各縦配管７は、例えば１本の管体7aにて構成され、この管体7aの互いに間隔をおいた複数箇所にノズル８が設けられている。
【００１８】
また、車両消毒装置１は、車両移動領域５の下方に配設され車両３のタイヤ２に向けて消毒液を噴射する第１下方噴射手段11と、車両移動領域５の下方に配設され車両３のタイヤ２に向けて消毒液を噴射する第２下方噴射手段12とを備えている。
【００１９】
第１下方噴射手段11は、平面視で第１距離ａを介して互いに離間対向し、車両３の走行方向に長手方向を有する直線状である前後方向長手状の左右１対の第１配管16を有している。各第１配管16には、タイヤ２がその全周にわたって消毒されるように、主として車両３のタイヤ２に向けて消毒液を噴射する上向きの複数の第１ノズル17が設けられている。
【００２０】
なお、各第１配管16は、例えば１本の管体16aにて構成され、この管体16aの互いに間隔をおいた複数箇所に第１ノズル17が設けられている。
【００２１】
第２下方噴射手段12は、平面視で第１距離ａよりも短い第２距離ｂを介して互いに離間対向し、車両３の走行方向に長手方向を有する直線状である前後方向長手状の左右１対の第２配管18を有している。各第２配管18には、タイヤ２がその全周にわたって消毒されるように、主として車両３のタイヤ２に向けて消毒液を噴射する上向きの複数の第２ノズル19が設けられている。
【００２２】
なお、各第２配管18は、例えば１本の管体18aにて構成され、この管体18aの互いに間隔をおいた複数箇所に第２ノズル19が設けられている。
【００２３】
さらに、車両消毒装置１は、車両移動領域５の下方に配設され、車両３の下面に向けて消毒液を噴射する噴射手段21を備えている。
【００２４】
この噴射手段21は、側方噴射手段６の縦配管７と第１下方噴射手段11の第１配管16と第２下方噴射手段12の第２配管18とを連結する連結配管22を有している。連結配管22は、車両３の走行方向に対して直交する水平な方向に長手方向を有する左右方向長手状のものである。連結配管22には、車両３の下面に向けて消毒液を噴射する上向きの複数のノズル23が設けられている。
【００２５】
なお、連結配管22は、例えば１本の管体22aにて構成され、この管体22aの互いに間隔をおいた複数箇所にノズル23が設けられている。
【００２６】
また、車両消毒装置１は、例えば地面に凹設された凹溝部26を備えている。凹溝部26の上面部には、複数の開口を有する溝蓋（例えばグレーチング等）27が配設され、車両３のタイヤ２が凹溝部26内に落ちないようになっている。なお図１では、溝蓋27の図示が省略されている。
【００２７】
そして、第１下方噴射手段11の第１配管16、第２下方噴射手段12の第２配管18および噴射手段21の連結配管22は、凹溝部26内に配設されている。また、側方噴射手段６の縦配管７の下端部が凹溝部26内に挿入され、この縦配管７の下端部に連結配管22が接続されている。
【００２８】
さらに、車両消毒装置１は、消毒液を噴射手段６，11，12，21に供給する消毒液供給手段30を備えている。消毒液供給手段は、例えば消毒液用のタンクおよびこのタンク内の消毒液を噴射手段６，11，12，21に向けて圧送するためのポンプ等を有している。
【００２９】
次に、車両消毒装置１の作用等を説明する。
【００３０】
例えばトラック等の大型の車両３が、車両移動領域５に進入してこの車両移動領域５の所定位置を走行移動する際に、側方噴射手段６のノズル８からの消毒液が車両３の左右側面に当たり、第１下方噴射手段11の第１ノズル17および第２下方噴射手段12の第２ノズル19からの消毒液が車両３の前後左右のすべてのタイヤ２の外周面の全体に当たり、噴射手段21のノズル23からの消毒液が車両３の下面に当たる。
【００３１】
こうして、大型の車両３が消毒液によって消毒され、この消毒後の車両３が畜産施設内に入っていく。
【００３２】
また、例えば普通自動車等の小型の車両３である車両３´が、車両移動領域５に進入してこの車両移動領域５の所定位置を走行移動する際に、側方噴射手段６のノズル８からの消毒液が車両３´の左右側面に当たり、第２下方噴射手段12の第２ノズル19からの消毒液が車両３´の前後左右のすべてのタイヤ２の外周面の全体に当たり、噴射手段21のノズル23からの消毒液が車両３´の下面に当たる。
【００３３】
こうして、小型の車両３´が消毒液によって消毒され、この消毒後の車両３´が畜産施設内に入っていく。
【００３４】
そして、このような車両消毒装置１によれば、消毒液が車両３の前後左右のすべてのタイヤ２の外周面の全体に当たるため、車両３が大型であるか小型であるかに拘らず、車両３のタイヤ２を全周にわたって消毒できる。
【００３５】
次に、本発明の第２の実施の形態について図３および図４を参照して説明する。
【００３６】
この第２の実施の形態に係る車両消毒装置１は、例えば北海道等の寒冷地でも使用できるように、前記第１の実施の形態において、消毒液の流れを循環式にしたものである。つまり、消毒液が凍らないように消毒液をループ状の配管内で常時循環させておき、車両消毒時のみノズルを開口させて消毒液を車両３に向けて噴射させるものである。
【００３７】
この車両消毒装置１では、各縦配管７は、互いに近接状に位置する平行な２本の管体7aを有し、この各管体7aの互いに間隔をおいた複数箇所にノズル８が設けられている。
【００３８】
また、各第１配管16は、互いに近接状に位置する平行な２本の管体16aを前側位置および後側位置にそれぞれ有し、この各管体16aの互いに間隔をおいた複数箇所に第１ノズル17が設けられている。
【００３９】
さらに、各第２配管18は、互いに近接状に位置する平行な２本の管体18aを前側位置および後側位置にそれぞれ有し、この各管体18aの互いに間隔をおいた複数箇所に第２ノズル19が設けられている。
【００４０】
また、連結配管22は、互いに近接状に位置する平行な２本の管体22aを有し、この各管体22aの互いに間隔をおいた複数箇所にノズル23が設けられている。
【００４１】
そして、この第２の実施の形態に係る車両消毒装置１でも、車両３が大型であるか小型であるかに拘らず、車両３のタイヤ２を全周にわたって消毒できる。
【００４２】
次に、本発明の第３の実施の形態について図５および図６を参照して説明する。
【００４３】
この第３の実施の形態に係る車両消毒装置１では、前記第１の実施の形態とは異なり、側方噴射手段６が互いに離間対向する左右２対の縦配管７を有し、この各縦配管７の下端部に連結配管22がそれぞれ接続されている。その他の構成は、前記第１の実施の形態と基本的に同じである。
【００４４】
そして、この第３の実施の形態に係る車両消毒装置１でも、車両３が大型であるか小型であるかに拘らず、車両３のタイヤ２を全周にわたって消毒できる。
【００４５】
次に、本発明の第４の実施の形態について図７および図８を参照して説明する。
【００４６】
この第４の実施の形態に係る車両消毒装置１は、前記第２の実施の形態と同様、例えば北海道等の寒冷地でも使用できるように、前記第３の実施の形態において、消毒液の流れを循環式にしたものである。つまり、消毒液が凍らないように消毒液をループ状の配管内で常時循環させておき、車両消毒時のみノズルを開口させて消毒液を車両３に向けて噴射させるものである。
【００４７】
この車両消毒装置１では、各縦配管７は、互いに近接状に位置する平行な２本の管体7aを有し、この各管体7aの互いに間隔をおいた複数箇所にノズル８が設けられている。
【００４８】
また、各第１配管16は、互いに近接状に位置する平行な２本の管体16aを前側位置および後側位置にそれぞれ有し、この各管体16aの互いに間隔をおいた複数箇所に第１ノズル17が設けられている。
【００４９】
さらに、各第２配管18は、互いに近接状に位置する平行な２本の管体18aを前側位置および後側位置にそれぞれ有し、この各管体18aの互いに間隔をおいた複数箇所に第２ノズル19が設けられている。
【００５０】
また、各連結配管22は、互いに近接状に位置する平行な２本の管体22aを有し、この各管体22aの互いに間隔をおいた複数箇所にノズル23が設けられている。
【００５１】
そして、この第４の実施の形態に係る車両消毒装置１でも、車両３が大型であるか小型であるかに拘らず、車両３のタイヤ２を全周にわたって消毒できる。
【００５２】
次に、本発明の第５の実施の形態について図９を参照して説明する。
【００５３】
この第５の実施の形態に係る車両消毒装置１は、前記第３の実施の形態において、第２下方噴射手段12を省略し、かつ、第１下方噴射手段11の第１配管16を車両３の走行方向に略沿ったジグザグ状に配置したものである。
【００５４】
つまり、この車両消毒装置１は、車両移動領域５の下方に配設され、車両３のタイヤ２に向けて消毒液を噴射する下方噴射手段（第１配管16をジグザグ状にした第１下方噴射手段11）31を備えている。
【００５５】
この下方噴射手段31は、平面視で互いに離間対向し、車両３の走行方向に長手方向を有する左右１対のジグザグ状の配管32を有している。各配管32には、タイヤ２がその全周にわたって消毒されるように、主として車両３のタイヤ２に向けて消毒液を噴射する上向きの複数のノズル33が設けられている。
【００５６】
また、各配管32は、車両３の走行方向に対して傾斜状に位置する第１傾斜部36、第２傾斜部37および第３傾斜部38にて構成されている。第１傾斜部36は、走行方向前端側ほど車両移動領域５の幅方向中央側に位置するように傾斜している。第２傾斜部37は、走行方向後端側ほど車両移動領域５の幅方向中央側に位置するように傾斜している。第３傾斜部38は、走行方向前端側ほど車両移動領域５の幅方向中央側に位置するように傾斜している。換言すると、左右１対の第１傾斜部36は平面視でハ字状に位置し、左右１対の第２傾斜部37は平面視で逆ハ字状に位置し、左右１対の第３傾斜部38は平面視でハ字状に位置している。
【００５７】
なお、各配管32は、例えば１本の管体32aにて構成され、この管体32aの互いに間隔をおいた複数箇所にノズル33が設けられている。
【００５８】
そして、この第５の実施の形態に係る車両消毒装置１でも、車両３が大型であるか小型であるかに拘らず、車両３のタイヤ２を全周にわたって消毒でき、しかも下方噴射手段31がジグザグ状の配管32を有する構成であるから、大きさの異なる種々の車両３に対してタイヤ２の全周をより一層適切に消毒できる。
【００５９】
なお、ジグザグ状の配管32は、第１傾斜部36、第２傾斜部37および第３傾斜部38にて構成されたものが好ましいが、例えば図示しないが、互いに異なる方向に傾斜した第１傾斜部および第２傾斜部にて構成されたものでもよい。
【００６０】
次に、本発明の第６の実施の形態について図１０を参照して説明する。
【００６１】
この第６の実施の形態に係る車両消毒装置１は、前記第２の実施の形態と同様、例えば北海道等の寒冷地でも使用できるように、前記第５の実施の形態において、消毒液の流れを循環式にしたものである。つまり、消毒液が凍らないように消毒液をループ状の配管内で常時循環させておき、車両消毒時のみノズルを開口させて消毒液を車両３に向けて噴射させるものである。
【００６２】
この車両消毒装置１では、各縦配管７は、互いに近接状に位置する平行な２本の管体7aを有し、この各管体7aの互いに間隔をおいた複数箇所にノズル８が設けられている。なお、縦配管７は、左右１対でもよい。
【００６３】
また、各配管32は、互いに近接状に位置する平行な２本の管体32aを前側位置および後側位置にそれぞれ有し、この各管体32aの互いに間隔をおいた複数箇所にノズル33が設けられている。さらに、各連結配管22は、互いに近接状に位置する平行な２本の管体22aを有し、この各管体22aの互いに間隔をおいた複数箇所にノズル23が設けられている。
【００６４】
そして、この第６の実施の形態に係る車両消毒装置１でも、車両３が大型であるか小型であるかに拘らず、車両３のタイヤ２を全周にわたって消毒でき、しかも下方噴射手段31がジグザグ状の配管32を有する構成であるから、大きさの異なる種々の車両３に対してタイヤ２の全周をより一層適切に消毒できる。
【００６５】
次に、本発明の第７の実施の形態について図１１を参照して説明する。
【００６６】
この第７の実施の形態に係る車両消毒装置１は、前記第３の実施の形態において、第２下方噴射手段12を省略し、かつ、第１下方噴射手段11の第１配管16を車両３の走行方向に対してハ字状（逆ハ字状でもよい）に配置したものである。なお、ここでいうハ字状や逆ハ字状は、略ハ字状や略逆ハ字状も含む意味である。
【００６７】
この車両消毒装置１は、車両移動領域５の下方に配設され、車両３のタイヤ２に向けて消毒液を噴射する下方噴射手段（第１配管16をハ字状にした第１下方噴射手段11）41を備えている。
【００６８】
この下方噴射手段41は、平面視で互いに離間対向し、車両３の走行方向に対して傾斜する方向に長手方向を有し、少なくとも一部、例えば前側半部において互いの離間距離が車両３の走行方向に向かって徐々に減少変化する左右１対の配管42を有している。なお図示しないが、両配管42の少なくとも一部、例えば前側半部の互いの離間距離が車両３の走行方向に向かって徐々に増大変化するようにしてもよい。そして、各配管42には、タイヤ２がその全周にわたって消毒されるように、主として車両３のタイヤ２に向けて消毒液を噴射する上向きの複数のノズル43が設けられている。
【００６９】
なお、各配管42は、例えば１本の管体42aにて構成され、この管体42aの互いに間隔をおいた複数箇所にノズル43が設けられている。また、各配管42は、車両３の走行方向に対して傾斜する方向に長手方向を有する前側の第１配管部分51と、車両３の走行方向に沿った方向に長手方向を有する後側の第２配管部分52とにて構成されている。
【００７０】
そして、この第７の実施の形態に係る車両消毒装置１でも、車両３が大型であるか小型であるかに拘らず、車両３のタイヤ２を全周にわたって消毒でき、しかも下方噴射手段41がハ字状（或いは逆ハ字状）の配管42を有する構成であるから、大きさの異なる種々の車両３に対してタイヤ２の全周をより一層適切に消毒できる。
【００７１】
次に、本発明の第８の実施の形態について図１２を参照して説明する。
【００７２】
この第８の実施の形態に係る車両消毒装置１は、前記第２の実施の形態と同様、例えば北海道等の寒冷地でも使用できるように、前記第７の実施の形態において、消毒液の流れを循環式にしたものである。つまり、消毒液が凍らないように消毒液をループ状の配管内で常時循環させておき、車両消毒時のみノズルを開口させて消毒液を車両３に向けて噴射させるものである。
【００７３】
この車両消毒装置１では、各縦配管７は、互いに近接状に位置する平行な２本の管体7aを有し、この各管体7aの互いに間隔をおいた複数箇所にノズル８が設けられている。なお、縦配管７は、左右１対でもよい。
【００７４】
また、各配管42は、互いに近接状に位置する平行な２本の管体42aを前側位置および後側位置にそれぞれ有し、この各管体42aの互いに間隔をおいた複数箇所にノズル43が設けられている。さらに、各連結配管22は、互いに近接状に位置する平行な２本の管体22aを有し、この各管体22aの互いに間隔をおいた複数箇所にノズル23が設けられている。
【００７５】
そして、この第８の実施の形態に係る車両消毒装置１でも、車両３が大型であるか小型であるかに拘らず、車両３のタイヤ２を全周にわたって消毒でき、しかも下方噴射手段41がハ字状（或いは逆ハ字状）の配管42を有する構成であるから、大きさの異なる種々の車両３に対してタイヤ２の全周をより一層適切に消毒できる。
【００７６】
また例えば、図１３に示す第９の実施の形態や、図１４に示す第１０の実施の形態のように、下方噴射手段41の両配管42の全部における互いの離間距離が車両３の走行方向に向かって徐々に減少変化（増大変化でもよい）する構成でもよい。
【００７７】
なお、いずれの実施の形態においても、例えば車両３を消毒した後の消毒液を凹溝部26内から浄化手段に向けて流し、この浄化手段でその消毒液（消毒後廃液）を浄化するようにしてもよい。
【００７８】
また、例えば車両３が大型であるか小型であるかを判別する判別手段を備え、判別手段にて大型であると判別された場合には第１ノズル17および第２ノズル19の両方が消毒液を噴射し、判別手段にて小型であると判別された場合には第１ノズル17および第２ノズル19のうち第２ノズル19のみが消毒液を噴射するようにしてもよい。
【００７９】
さらに、車両に向けて消毒液を噴射するノズルは、例えば配管内の消毒液の圧力が予め設定された設定圧力になった際に、閉状態から開状態に自動的に切り換わるもの等である。
【００８０】
また、例えば寒冷地等で使用する場合において、例えば、温水噴射による車両の温め→エアー噴射による車両の乾燥→消毒液噴射による車両の消毒→エアー噴射による車両の乾燥、の順で消毒処理を行うようにしてもよい。
【００８１】
なお、上述した各実施の形態の構成を適宜組み合わせるようにしてもよい。
【符号の説明】
【００８２】
１    車両消毒装置
２    タイヤ
３    車両
５    車両移動領域
６    側方噴射手段
11    第１下方噴射手段
12    第２下方噴射手段
16    第１配管
17    第１ノズル
18    第２配管
19    第２ノズル
31    下方噴射手段
32    配管
33    ノズル
41    下方噴射手段
42    配管
43    ノズル
ａ    第１距離
ｂ    第２距離
【図１】
2015211867.tif 000003
【図２】
2015211867.tif 000004
【図３】
2015211867.tif 000005
【図４】
2015211867.tif 000006
【図５】
2015211867.tif 000007
【図６】
2015211867.tif 000008
【図７】
2015211867.tif 000009
【図８】
2015211867.tif 000010
【図９】
2015211867.tif 000011
【図１０】
2015211867.tif 000012
【図１１】
2015211867.tif 000013
【図１２】
2015211867.tif 000014
【図１３】
2015211867.tif 000015
【図１４】
2015211867.tif 000016